(57)【要約】【課題】水洗便器のサイホン作用を早期に発生させることにより、洗浄水量を抑制し、節水を図ることができる、排水ソケットを提供する。【解決手段】排水ソケット１は、洋式水洗便器の一つである便器本体２０の排出口２１に接続される便器接続部２２と、便器本体２０が設置される床２３側に配設された排水管２４に接続される排水管接続部２５と、便器接続部２２と排水管接続部２５とを連通する排水流路２６の内周面２６ａに排水流路２６の軸心Ｃ方向に向かって突設された棚部２７と、を備えている。棚部２７の上面に、汚水返し手段として、軸心Ｃに向かって上り勾配をなす斜面部２７ａを設けている。また、排水流路２６の内周面２６ａと、棚部２７の斜面部２７ａとの間に、下方へ向かうにつれて軸心Ｃ方向へ突出するリブ状のガイド部材２８を複数設けている。【選択図】図３
2007217894.tif 000002
【特許請求の範囲】
【請求項１】
便器本体の排出口に接続される便器接続部と、床側に配設された排水管に接続される排水管接続部と、前記便器接続部と前記排水管接続部とを連通する排水流路の内周面に当該排水流路の軸心方向に向かって突設された棚部と、を備えた排水ソケットにおいて、
前記棚部の上面に、前記軸心に近づくにつれて上方へ変位した部分を有する汚水返し手段を設けたことを特徴とする排水ソケット。
【請求項２】
便器本体の排出口に接続される便器接続部と、床側に配設された排水管に接続される排水管接続部と、前記便器接続部と前記排水管接続部とを連通する排水流路と、を備えた排水ソケットにおいて、
前記排水管接続部の内径を前記排水流路の内径より小とし、前記排水管接続部と前記排水流路との境界位置に前記排水流路の軸心方向に向かって突出した棚部を設け、前記棚部の上面に、前記排水流路の軸心に近づくにつれて上方へ変位した部分を有する汚水返し手段を設けたことを特徴とする排水ソケット。
【請求項３】
便器本体の排出口に接続される便器接続部と、床側に配設された排水管に接続される排水管接続部と、前記便器接続部と前記排水管接続部とを連通する排水流路と、を備えた排水ソケットにおいて、
前記排水管接続部の内径を前記排水流路の内径より小とし、前記排水管接続部と前記排水流路との境界位置に前記排水流路の軸心方向に向かって突出した第一棚部を設け、前記排水管接続部の下流側端部の内周面に当該排水管接続部の軸心方向に向かって突出した第二棚部を設け、前記第一棚部、前記第二棚部の少なくとも一方の上面に、前記軸心に近づくにつれて上方へ変位した部分を有する汚水返し手段を設けたことを特徴とする排水ソケット。
【請求項４】
前記汚水返し手段として、前記軸心に向かって上り勾配をなす斜面部を設けたことを特徴とする請求項１〜３のいずれかに記載の排水ソケット。
【請求項５】
前記斜面部を、凹曲面、凸曲面若しくは平面のいずれかとしたことを特徴とする請求項４記載の排水ソケット。
【請求項６】
前記斜面部の前記軸心側の内周縁に沿って、上方へ突出した堰部を設けたことを特徴とする請求項４記載の排水ソケット。
【請求項７】
前記汚水返し手段として、前記軸心に向かって上り勾配をなす階段部を設けたことを特徴とする請求項１〜３のいずれかに記載の排水ソケット。
【請求項８】
前記排水流路の内周面と、前記棚部または前記第一棚部の上面との間に、下方へ向かうにつれて前記軸心方向へ突出するガイド部材を設けたことを特徴とする請求項１〜３のいずれかに記載の排水ソケット。
【発明の詳細な説明】
【技術分野】
【０００１】
本発明は、水洗便器本体の排出口と、床側に配設された排水管との間に配置される排水ソケットに関する。
【背景技術】
【０００２】
水洗便器本体の後方下面に汚物を排出するために設けられた排出口と、床側に配設された排水管との接続部分には、通常、排水ソケットが配置されている。従来の排水ソケットとして、例えば、特許文献１記載のものがある。特許文献１記載の排水ソケットにおいては、その流出口側にオリフィスが形成され、当該オリフィスの上流側に絞りが設けられている。このような構造とすれば、サイホン作用を早期に発生させることができるため、洗浄水量が抑制され、節水を図ることができる。
【０００３】
【特許文献１】特開平８−２６０５５１号公報
【発明の開示】
【発明が解決しようとする課題】
【０００４】
特許文献１記載の排水ソケットは、オリフィスおよび絞りを備えているため、便器本体内の汚水が排出された場合、絞りおよびオリフィスによって汚水の流下が妨げられ、排水ソケット内に、一時的に汚水の塊（以下、「水膜」という。）が形成される。そして、この水膜が排水ソケット内を流下することによってサイホン作用が発生し、汚水全体が排出される。
【０００５】
しかしながら、この排水ソケットにおける絞りおよびオリフィスは汚水の流下を妨げるだけであり、その作用にも限界があるため、排水開始直後の汚水の大部分は流下してしまう。このため、排水ソケット内に、水膜が形成されにくく、サイホン作用を早期に発生させることができないのが実状である。従って、洗浄水量を抑制し、節水を図るという目的も充分に達成されていない。
【０００６】
本発明が解決しようとする課題は、水洗便器のサイホン作用を早期に発生させることにより、洗浄水量を抑制し、節水を図ることができる排水ソケットを提供することにある。
【課題を解決するための手段】
【０００７】
本発明の排水ソケットは、便器本体の排出口に接続される便器接続部と、床側に配設された排水管に接続される排水管接続部と、前記便器接続部と前記排水管接続部とを連通する排水流路の内周面に当該排水流路の軸心方向に向かって突設された棚部と、を備えた排水ソケットにおいて、
前記棚部の上面に、前記軸心に近づくにつれて上方へ変位した部分を有する汚水返し手段を設けたことを特徴とする。
【０００８】
このような構成とすれば、便器接続部から排水流路内に流入した汚水は、排水流路の内周面を伝って流下し、棚部の上面に設けられた汚水返し手段の「上方に変位した部分」に衝突することにより、速やかに排水流路の軸心方向へ巻き上げられる。そして、排水流路の軸心方向へ巻き上げられた前記汚水と、排水流路の内周面を伝わらず排水流路の略中央を落下してきた汚水とが衝突することにより、速やかに水膜が形成される。このため、水洗便器のサイホン作用が早期に発生し、比較的少量の洗浄水で汚物を排出することが可能となり、洗浄水量を抑制し、節水を図ることができる。
【０００９】
また、本発明の排水ソケットは、便器本体の排出口に接続される便器接続部と、床側に配設された排水管に接続される排水管接続部と、前記便器接続部と前記排水管接続部とを連通する排水流路と、を備えた排水ソケットにおいて、
前記排水管接続部の内径を前記排水流路の内径より小とし、前記排水管接続部と前記排水流路との境界位置に前記排水流路の軸心方向に向かって突出した棚部を設け、前記棚部の上面に、前記排水流路の軸心に近づくにつれて上方へ変位した部分を有する汚水返し手段を設けたことを特徴とする。
【００１０】
このような構成とすれば、前述と同様、便器接続部から排水流路内に流入した汚水は、排水流路の内周面を伝って流下し、棚部の上面に設けられた汚水返し手段の「上方に変位した部分」に衝突することにより、速やかに排水流路の軸心方向へ巻き上げられる。そして、排水流路の軸心方向へ巻き上げられた前記汚水と、排水流路の内周面を伝わらず排水流路の略中央を落下してきた汚水とが衝突することにより、速やかに水膜が形成される。このため、水洗便器のサイホン作用が早期に発生し、比較的少量の洗浄水で汚物を排出することが可能となり、洗浄水量を抑制し、節水を図ることができる。また、排水管接続部の内径を排水流路の内径より小としたことにより、排水流路を落下する汚水は、当該排水流路と排水管接続部との境界部分でその落下が妨げられるため、速やかなる水膜形成に有効である。
【００１１】
また、本発明の排水ソケットは、便器本体の排出口に接続される便器接続部と、床側に配設された排水管に接続される排水管接続部と、前記便器接続部と前記排水管接続部とを連通する排水流路と、を備えた排水ソケットにおいて、
前記排水管接続部の内径を前記排水流路の内径より小とし、前記排水管接続部と前記排水流路との境界位置に前記排水流路の軸心方向に向かって突出した第一棚部を設け、前記排水管接続部の下流側端部の内周面に当該排水管接続部の軸心方向に向かって突出した第二棚部を設け、前記第一棚部、前記第二棚部の少なくとも一方の上面に、前記軸心に近づくにつれて上方へ変位した部分を有する汚水返し手段を設けたことを特徴とする。
【００１２】
このような構成とすれば、便器接続部から流入して排水流路内を落下する汚水は、第一棚部および第二棚部によって落下が妨げられ、第一棚部、第二棚部の少なくとも一方の上面に設けられた汚水返し手段の「上方に変位した部分」に衝突することにより、排水流路の内周面若しくは排水管接続部の内周面を伝って流下した汚水が速やかに排水流路の軸心方向へ巻き上げられる。そして、巻上げられた前記汚水と第一棚部および第二棚部に衝突せずに排水流路若しくは排水管接続部の略中央を落下してきた汚水とが衝突することにより、速やかに水膜が形成される。このため、水洗便器のサイホン作用が早期に発生し、比較的少量の洗浄水で汚物を排出することが可能となり、洗浄水量を抑制し、節水を図ることができる。
【００１３】
ここで、前記汚水返し手段として、排水流路の軸心に向かって上り勾配をなす斜面部を設ければ、便器接続部から流入して排水流路の内周面を伝って落下する汚水は斜面部に衝突することにより、排水流路の軸心方向へ巻き上げられる。そして、巻き上げられた汚水と排水流路の略中央を落下して斜面部と衝突しない汚水とが衝突することにより、速やかに水膜が形成される。従って、水洗便器にサイホン作用が早期に発生し、比較的少量の洗浄水で汚物を排出することが可能となり、洗浄水量を抑制し、節水を図ることができる。
【００１４】
この場合、前記斜面部を、凹曲面、凸曲面若しくは平面のいずれかとすれば、便器接続部から流入して排水流路の内周面を伝って落下する汚水が、より効率的に乱流状態を形成しながら排水流路の軸心方向へ巻き上げられるため、水膜形成作用が高まり、速やかに水膜を形成することができる。
【００１５】
一方、前記斜面部の前記軸心側の内周縁に沿って、上方へ突出した堰部を設けることもできる。このような構成とすれば、棚部の上面に衝突した汚水は、さらに効率的に乱流状態を形成しながら排水流路の軸心方向へ巻き上げられるため、水膜形成作用を高めることができる。
【００１６】
また、前記汚水返し手段として、前記軸心に向かって上り勾配をなす階段部を設ければ、棚部の上面に衝突した汚水は、効率的に乱流状態を形成しながら排水流路の軸心方向へ巻き上げるため、水膜形成作用がさらに高まる。
【００１７】
さらに、前記排水流路の内周面と、前記棚部または前記第一棚部の上面との間に、下方へ向かうにつれて前記軸心方向へ突出するガイド部材を設けることもできる。このような構成とすれば、便器接続部から排水流路内に流入する汚水中の固形物は、ガイド部材に接触することにより、排水流路の軸心方向へ誘導されるため、固形物が棚部に衝突して、その上面に残留するのを防止することができる。
【発明の効果】
【００１８】
本発明により、水洗便器のサイホン作用を早期に発生させることにより、洗浄水量を抑制し、節水を図ることができる、排水ソケットを提供することができる。
【発明を実施するための最良の形態】
【００１９】
以下、図面に基づいて、本発明の実施の形態について説明する。図１は本発明の第１実施形態である排水ソケットを示す平面図、図２は図１におけるＡ−Ａ線断面図、図３は図１に示す排水ソケットを水洗便器に配設した状態を示す縦断面図である。
【００２０】
図１〜図３に示すように、本実施形態の排水ソケット１は、洋式水洗便器の一つである便器本体２０の排出口２１に接続される便器接続部２２と、便器本体２０が設置される床２３側に配設された排水管２４に接続される排水管接続部２５と、便器接続部２２と排水管接続部２５とを連通する排水流路２６の内周面２６ａに排水流路２６の軸心Ｃ方向に向かって突設された棚部２７と、を備えている。排水管接続部２５は、棚部２７から連続して形成されており、その内径寸法は排水流路２６の内径寸法より小さい。棚部２７の上面には、汚水返し手段として、軸心Ｃに近づくにつれて上方へ変位した部分、即ち、軸心Ｃに向かって上り勾配をなす斜面部２７ａを設けている。
【００２１】
また、排水流路２６の内周面２６ａと、棚部２７の上面（斜面部２７ａ）との間に、下方へ向かうにつれて軸心Ｃ方向へ突出するリブ状のガイド部材２８を複数設けている。これらのガイド部材２８は、棚部２７の斜面部２７ａ上に、軸心Ｃを中心にして放射状をなすように等角度間隔で立設されている。ガイド部材２８は合計１２個設けているが、これに限定するものではないので、増減可能である。
【００２２】
排水ソケット１において、便器接続部２２から排水流路２６内に流入した汚水のうち、内周面２６ａを伝って落下した汚水は棚部２７の上面に設けられた斜面部２７ａに衝突することにより、排水流路２６の軸心Ｃ方向へ巻き上げられる。そして、巻き上げられた前記汚水と、斜面部２７ａに衝突せずに落下してきた汚水とが衝突することにより、速やかに水膜が形成される。このため、便器本体２０のサイホン作用が早期に発生し、比較的少量の洗浄水で汚物を排出することが可能となり、洗浄水量を抑制し、節水を図ることができる。
【００２３】
また、排水流路２６の内周面２６ａと、棚部２７の斜面部２７ａとの間に、下方へ向かうにつれて軸心Ｃ方向へ連続的に突出するリブ状のガイド部材２８を設けているため、便器接続部２２から排水流路２６内に流入する汚水中の固形物は、これらのガイド部材２８に接触することにより、排水流路２６の軸心Ｃ方向へ誘導されるため、固形物が棚部２７に衝突して、その斜面部２７ａ上に残留するのを防止することができる。
【００２４】
次に、図４〜図１６を参照し、本発明の第２〜１４実施形態について説明する。図４〜図１６は本発明の第２〜１４実施形態である排水ソケットを示す縦断面図である。なお、図４〜図１６において、図１〜図３に示す符号と同じ符号を付している部分は、第１実施形態の排水ソケット１の構成部分と同じ構造、機能を有する部分であるため、説明を省略する。
【００２５】
図４に示す排水ソケット２は、前述した排水ソケット１におけるガイド部材２８を省略した構造である。棚部２７の上面に斜面部２７ａを設けているため、内周面２６ａを伝って落下した汚水が斜面部２７ａに衝突して軸心Ｃ方向へ巻き上げられ、速やかに水膜が形成される。このため、サイホン作用が早期に発生し、比較的少量の洗浄水で汚物を排出することが可能となり、洗浄水量を抑制し、節水を図ることができる。
【００２６】
図５に示す排水ソケット３においては、汚水返し手段として、棚部２７の上面に斜面部２７ａを設けるとともに、斜面部２７ａの軸心Ｃ側の内周縁に沿って上方へ突出した堰部２７ｂが設けている。このような構成とすれば、棚部２７の斜面部２７ａに衝突した汚水は、排水流路２６の軸心Ｃ方向へ巻き上げられるとともに、堰部２７ｂにより汚水を棚部２７上に留める作用も生じるため、優れた水膜形成作用を発揮する。
【００２７】
図６に示す排水ソケット４においては、汚水返し手段として、棚部２７の上面に、排水流路２６の軸心Ｃに向かって上り勾配をなす階段部２７ｃを設けている。棚部２７の階段部２７ｃに衝突した汚水は、排水流路２６の軸心Ｃ方向へ巻き上げられるとともに、複数の段差を有する階段部２７ｃにより汚水の流動も妨げられるため、優れた水膜形成作用を得ることができる。
【００２８】
図７に示す排水ソケット５においては、汚水返し手段として、棚部２７の上面に、排水流路２６の軸心Ｃに向かって上り勾配をなす凹曲面２７ｄを設けている。便器接続部２２から流入して排水流路２６内を落下する汚水は、棚部２７の凹曲面２７ｄに衝突することにより、速やかに、排水流路２６の軸心Ｃ方向へ巻き上げられるため、優れた水膜形成作用を得ることができる。
【００２９】
図８に示す排水ソケット６においては、排水管接続部２５の内径２５ａを排水流路２６の内径２６ｂより小とし、排水流路２６と排水管接続部２５との境界に位置する排水流路２６の内周面２６ａに、当該排水流路２６の軸心Ｃ方向に向かって突設された第一棚部２９を設け、排水管接続部２５の内周面２５ｂの下流側端部に、排水流路２６の軸心Ｃ方向に向かって突出した第二棚部３０を設け、汚水返し手段として、第二棚部３０の上面に、軸心Ｃに近づくにつれて上り勾配をなす斜面部３０ａを設けている。
【００３０】
便器接続部２２から流入して排水流路２６内を落下する汚水は、第一棚部２９および第二棚部３０によって落下が妨げられるとともに、第二棚部３０の上面に設けられた斜面部３０ａに衝突することにより、排水流路２６の軸心Ｃ方向へ巻き上げられる。そして、巻き上げられた前記汚水と、第一棚部２９および第二棚部３０に衝突せずに落下した汚水とが衝突することにより、速やかに水膜が形成され、サイホン作用が早期に発生し、比較的少量の洗浄水で汚物を排出することが可能となるため、洗浄水量を抑制し、節水を図ることができる。
【００３１】
図９に示す排水ソケット７においては、前述した排水ソケット６の構成に加え、第一棚部２９の上面にも、軸心Ｃに近づくにつれて上り勾配をなす斜面部２９ａを設けている。このような構成とすることにより、水膜形成作用がさらに高まるため、サイホン作用が早期に発生し、比較的少量の洗浄水で汚物を排出することが可能となり、洗浄水量が抑制され、節水を図ることができる。
【００３２】
図１０に示す排水ソケット８においては、第二棚部３０の上面に斜面部３０ａを設けるとともに、第二棚部３０の軸心Ｃ側の内周縁に沿って上方へ突出した堰部３０ｂを設けている。第二棚部３０の斜面部３０ａに衝突した汚水は、排水流路２６の軸心Ｃ方向へ巻き上げられるとともに、堰部３０ｂにより、汚水を第二棚部３０上に留める作用も生じるため、優れた水膜形成作用を発揮する。
【００３３】
図１１に示す排水ソケット９においては、汚水返し手段として、第二棚部３０の上面に、排水流路２６の軸心Ｃに向かって上り勾配をなす階段部３０ｃを設けている。第二棚部３０の階段部３０ｃに衝突した汚水は、排水流路２６の軸心Ｃ方向へ巻き上げられるとともに、複数の段差を有する階段部３０ｃにより汚水の流動も妨げられるため、優れた水膜形成作用を得ることができる。
【００３４】
図１２に示す排水ソケット１０においては、汚水返し手段として、第二棚部３０の上面に、排水流路２６の軸心Ｃに向かって上り勾配をなす凹曲面３０ｄを設けている。便器接続部２２から流入して排水流路２６内を落下する汚水は、第二棚部の凹曲面３０ｄに衝突することにより、速やかに、排水流路２６の軸心Ｃ方向へ巻き上げられるため、優れた水膜形成作用を得ることができる。
【００３５】
図１３に示す排水ソケット１１においては、排水管接続部２５の内径２５ａを便器接続部２２の内径２２ａより小とするとともに、便器接続部２２の軸心Ｃ１と排水管接続部２５の軸心Ｃ２とを偏位させて配置し、便器接続部２２と排水流路２６との境界に位置する排水流路２６の内周面２６ａに、当該排水流路２６の軸心Ｃ方向に向かって突設された棚部３１を設けている。また、汚水返し手段として、棚部３１の上面に、軸心Ｃに近づくにつれて上り勾配をなす斜面部３１ａを設けている。
【００３６】
斜面部３１ａを設けるとともに便器接続部２２と排水管接続部２５とを偏位させているため、汚水の落下が大幅に抑制され、速やかに水膜が形成される。このため、サイホン作用が早期に発生し、比較的少量の洗浄水で汚物を排出することが可能となり、洗浄水量を抑制し、節水を図ることができる。
【００３７】
図１４に示す排水ソケット１２においては、汚水返し手段として、棚部３１の上面に、排水流路２６の軸心Ｃに向かって上り勾配をなす階段部３１ｂを設けている。棚部３１の階段部３１ｂに衝突した汚水は、排水流路２６の軸心Ｃ方向へ巻き上げられるとともに、複数の段差を有する階段部３１ｂにより汚水の流動も妨げられるため、優れた水膜形成作用を得ることができる。
【００３８】
図１５に示す排水ソケット１３においては、汚水返し手段として、棚部３１の上面に、軸心Ｃに近づくにつれて上り勾配をなす斜面部３１ａを設けるとともに、棚部３１の軸心Ｃ側の内周縁に沿って上方へ突出した堰部３１ｃを設けている。棚部３１の斜面部３１ａに衝突した汚水は、排水流路２６の軸心Ｃ方向へ巻き上げられるともに、堰部３１ｃにより汚水を棚部３１上に留める作用も生じるため、優れた水膜形成作用を発揮する。
【００３９】
図１６に示す排水ソケット１４においては、汚水返し手段として、棚部３１の上面に、排水流路２６の軸心Ｃに向かって上り勾配をなす凹曲面３１ｄを設けている。便器接続部２２から流入する汚水は、棚部３１の凹曲面３１ｄに衝突することにより、速やかに排水流路２６の軸心Ｃ方向へ巻き上げられるため、優れた水膜形成作用を得ることができる。
【００４０】
なお、前述した図８〜図１３に示す排水ソケット６〜１１において、第一棚部２９、第二棚部３０の両方若しくはいずれか一方に、図１〜図３に示すようなガイド部材２８を設けることもできる。また、図１３〜図１６に示す排水ソケット１１〜１４において、棚部３１に図１〜図３に示すようなガイド部材２８を設けてもよい。
【００４１】
さらに、図９に示す排水ソケット７においては、第一棚部２９の上面および第二棚部３０の上面に、軸心Ｃに近づくにつれて上り勾配をなす斜面部２９ａ，３０ａを設けているが、これに限定するものではないので、斜面部２９ａ，３０ａの代わりに、図１１に示す階段部３０ｃ、図１２に示す凹曲面３０ｄあるいは図５に示す棚部２７の内周縁に沿って上方へ突設された堰部２７ｂなどを採用することもできる。
【産業上の利用可能性】
【００４２】
本発明は、一般住宅や公共施設などの水洗トイレに配置されている水洗便器において広く利用することができる。
【図面の簡単な説明】
【００４３】
【図１】本発明の第１実施形態である排水ソケットを示す平面図である。
【図２】図１におけるＡ−Ａ線断面図である。
【図３】図１に示す排水ソケットを水洗便器に配設した状態を示す縦断面図である。
【図４】本発明の第２実施形態である排水ソケットを示す縦断面図である。
【図５】本発明の第３実施形態である排水ソケットを示す縦断面図である。
【図６】本発明の第４実施形態である排水ソケットを示す縦断面図である。
【図７】本発明の第５実施形態である排水ソケットを示す縦断面図である。
【図８】本発明の第６実施形態である排水ソケットを示す縦断面図である。
【図９】本発明の第７実施形態である排水ソケットを示す縦断面図である。
【図１０】本発明の第８実施形態である排水ソケットを示す縦断面図である。
【図１１】本発明の第９実施形態である排水ソケットを示す縦断面図である。
【図１２】本発明の第１０実施形態である排水ソケットを示す縦断面図である。
【図１３】本発明の第１１実施形態である排水ソケットを示す縦断面図である。
【図１４】本発明の第１２実施形態である排水ソケットを示す縦断面図である。
【図１５】本発明の第１３実施形態である排水ソケットを示す縦断面図である。
【図１６】本発明の第１４実施形態である排水ソケットを示す縦断面図である。
【符号の説明】
【００４４】
１，２，３，４，５，６，７，８，９，１０，１１，１２，１３，１４  排水ソケット
２０  便器本体
２１  排出口
２２  便器接続部
２２ａ，２５ａ，２６ｂ  内径
２３  床
２４  排水管
２５  排水管接続部
２５ｂ，２６ａ  内周面
２６  排水流路
２７，３１  棚部
２７ａ，２９ａ，３０ａ，３１ａ  斜面部
２７ｂ，３０ｂ，３１ｃ  堰部
２７ｄ，３０ｄ，３１ｄ  凹曲面
２８  ガイド部材
２９  第一棚部
３０  第二棚部
Ｃ，Ｃ１，Ｃ２  軸心
【図１】
2007217894.tif 000003
【図２】
2007217894.tif 000004
【図３】
2007217894.tif 000005
【図４】
2007217894.tif 000006
【図５】
2007217894.tif 000007
【図６】
2007217894.tif 000008
【図７】
2007217894.tif 000009
【図８】
2007217894.tif 000010
【図９】
2007217894.tif 000011
【図１０】
2007217894.tif 000012
【図１１】
2007217894.tif 000013
【図１２】
2007217894.tif 000014
【図１３】
2007217894.tif 000015
【図１４】
2007217894.tif 000016
【図１５】
2007217894.tif 000017
【図１６】
2007217894.tif 000018